(57)【特許請求の範囲】
【請求項１】
原稿を搬送する原稿搬送手段と、
前記原稿搬送手段により搬送された原稿と接触する、導電性コートの施された原稿台ガラスと、
前記原稿台ガラスを介して白色の基準シートを読み取る読取手段と、
前記読取手段により読み取られた前記基準シートの画像に基づいて、前記原稿台ガラスに施された導電性コートの剥れ具合を検出する検出手段と、
を有することを特徴とする画像読取装置。
【請求項２】
前記検出手段により検出された前記剥れ具合が予め決められた剥れ具合を超えた場合、前記原稿搬送手段は原稿の搬送を行わないことを特徴とする請求項１記載の画像読取装置。
【請求項３】
前記検出手段により検出された前記剥れ具合が予め決められた剥れ具合を超えた場合、前記原稿台ガラスの磨耗具合が進行している旨のメッセージを表示する表示手段を有することを特徴とする請求項１記載の画像読取装置。
【請求項４】
前記検出手段により検出された前記剥れ具合が予め決められた剥れ具合を超えた場合、前記原稿台ガラスの交換を要求するメッセージを表示する表示手段を有することを特徴とする請求項１記載の画像読取装置。
【請求項５】
前記検出手段により検出された前記剥れ具合が予め決められた剥れ具合を超えた場合、前記原稿台ガラスの発注をするか否かをユーザが選択するための選択画面を表示する表示手段を有することを特徴とする請求項１記載の画像読取装置。
【請求項６】
前記検出手段により検出された前記剥れ具合が予め決められた剥れ具合を超えた場合、前記原稿搬送手段による原稿の搬送を行うか否かをユーザが選択するための選択画面を表示する表示手段を有することを特徴とする請求項１記載の画像読取装置。
【請求項７】
シェーディング補正用の白色板を有し、
前記読取手段は、前記基準シートを読み取る前に前記白色板を読み取ってシェーディング補正を行うことを特徴とする請求項１記載の画像読取装置。
【請求項８】
前記読取手段は、前記基準シートの予め定められた領域を読み取り、
前記検出手段は、前記読取手段により読み取られた前記基準シートの予め定められた領域の画像に基づいて、前記原稿台ガラスに施された導電性コートの剥れ具合を検出することを特徴とする請求項１記載の画像読取装置。
【請求項９】
原稿を搬送する原稿搬送手段と、
前記原稿搬送手段により搬送された原稿と接触する、導電性コートの施された原稿搬送部ガラスと、
ユーザにより原稿が載置される、導電性コートの施されていない原稿載置部ガラスと、前記原稿搬送部ガラスを介して白色の基準シートを読み取る読取手段と、
前記読取手段により読み取られた前記基準シートの画像に基づいて、前記原稿搬送部ガラスに施された導電性コートの剥れ具合を検出する検出手段と、
を有することを特徴とする画像読取装置。
【発明の詳細な説明】
【技術分野】
【０００１】
本発明は、原稿台ガラス上の原稿の画像を読み取る画像読取装置に関し、特に、原稿台ガラスに施された導電性コートの剥れ具合を検出する画像読取装置に関する。
【背景技術】
【０００２】
従来、原稿給紙装置を用いて原稿を原稿台ガラスに給紙し、原稿台ガラス上の原稿の画像を読み取る画像読取装置があった（例えば、特許文献１参照。）。
【０００３】
このような原稿給紙装置を使用した場合、給紙される原稿と原稿台ガラスとの摩擦による静電気により、原稿台ガラスに埃、汚れが付着しやすくなったり、原稿が原稿台ガラスに静電気吸着されてしまい原稿が正常に給紙されなくなったりする等の問題が発生する。
【０００４】
上記問題点の解決手段として、原稿台ガラスの表面に帯電防止処理（導電性コート）を施すものがある（例えば、特許文献２参照。）。
【特許文献１】特開２０００−１８７３６２号公報
【特許文献２】特開２００２−１９９１８８号公報
【発明の開示】
【発明が解決しようとする課題】
【０００５】
しかしながら、原稿給紙装置を使用した場合、給紙される原稿と原稿台ガラスとの摩擦により導電性コートが徐々に剥れて劣化してしまい、原稿台ガラスの帯電防止という当初の効果が得られなくなってしまうという問題がある。
【０００６】
そこで、画像読取装置の使用時間もしくは原稿読取枚数等を基準に原稿台ガラスを交換することが考えられるが、ユーザの使用環境により導電性コートの摩耗による剥れ具合も変わってくるため、適切な交換時期を判別することはできなかった。
【０００７】
本発明は、上記問題に鑑みてなされたもので、原稿台ガラスに施された導電性コートの摩耗による剥れ具合を検知することができ、原稿台ガラスの寿命又は交換時期を容易に判別することができる画像読取装置を提供することを目的とする。
【課題を解決するための手段】
【０００８】
上記目的を達成するため、本発明に係る画像読取装置は、原稿を搬送する原稿搬送手段と、前記原稿搬送手段により搬送された原稿と接触する、導電性コートの施された原稿台ガラスと、前記原稿台ガラスを介して白色の基準シートを読み取る読取手段と、前記読取手段により読み取られた前記基準シートの画像に基づいて、前記原稿台ガラスに施された導電性コートの剥れ具合を検出する検出手段と、有することを特徴とする。
【０００９】
また、本発明に係る画像読取装置は、原稿を搬送する原稿搬送手段と、前記原稿搬送手段により搬送された原稿と接触する、導電性コートの施された原稿搬送部ガラスと、ユーザにより原稿が載置される、導電性コートの施されていない原稿載置部ガラスと、前記原稿搬送部ガラスを介して白色の基準シートを読み取る読取手段と、前記読取手段により読み取られた前記基準シートの画像に基づいて、前記原稿搬送部ガラスに施された導電性コートの剥れ具合を検出する検出手段と、を有することを特徴とする。
【発明の効果】
【００１０】
本発明によれば、原稿台ガラスに施された導電性コートの摩耗による剥れ具合を検知することができ、原稿台ガラスの寿命又は交換時期を容易に判別することができるという効果を奏する。
【発明を実施するための最良の形態】
【００１１】
以下、本発明を実施するための最良の形態について、図面を参照して説明する。本実施形態においては、画像読取装置として、例えば複写機等の画像形成装置に用いられる画像読取装置を例にして説明するが、これに限ったものではない。
【実施例１】
【００１２】
まず、実施例１について図面を用いて以下に詳細に説明する。
【００１３】
図１は、ＣＣＤ等のイメージセンサを用いた画像読取装置の構成例である。図１の画像読取装置は、原稿台ガラス１０７上の原稿１０８を原稿照明用の光源１０１で照明し、原稿画像を第１ミラー１０２、第２ミラー１０３、第３ミラー１０４およびレンズ１０５により、イメージセンサ１０６の受光面上に結像させる構造になっている。
【００１４】
この構造の画像読取装置では、照明ランプ１０１、第１ミラー１０２、第２ミラー１０３、及び第４ミラー１０４が副走査方向Ｓへ移動することで、原稿１０８を読み取ることが可能になっている。また、１０９はシェーディング補正用の白色板であり、１１０は白色板を覆うカバーガラスである。
【００１５】
原稿台ガラス１０７上の原稿１０８を読み取る前に、照明ランプ１０１、第１ミラー１０２、第２ミラー１０３、及び第４ミラー１０４は、白色板１０９の下に移動し、イメージセンサ１０６で白色板１０９を読み取る。読み取った値に基づいて、後述する図７の信号処理回路によりシェーディング補正を行うことで、白レベルが補正される。
【００１６】
図２は、図１に加えて原稿給紙装置を搭載した場合の画像読取装置例である。本実施形態では、原稿給紙装置として複写機等の画像形成装置に搭載されるＡＤＦ（Ａｕｔｏ  Ｄｏｃｕｍｅｎｔ  Ｆｅｅｄｅｒ）を例にして説明するが、これに限ったものではない。
【００１７】
図示するように、積載された原稿がベルト駆動ローラ１１１により回転する原稿搬送ベルト１１２により、１枚ずつ原稿台ガラス１０７上に給紙される。
【００１８】
原稿台ガラス１０７上に給紙された原稿１０８上の画像は、照明ランプ１０１、第１ミラー１０２、第２ミラー１０３、及び第４ミラー１０４が副走査方向Ｓへ移動することで、イメージセンサ１０６により読み取られる。
【００１９】
原稿のコピーを行う際には、イメージセンサ１０６により読み取られた画像は、不図示の画像形成装置に送られ、読み取った画像に基づいてシート上に画像が形成される。
【００２０】
リモートスキャンを行う際には、イメージセンサ１０６により読み取られた画像は、ネットワーク上に接続された不図示のコンピュータに送られ、コンピュータ内のハードディスクに記憶される。
【００２１】
ＦＡＸ送信する際には、イメージセンサ１０６により読み取られた画像は、公衆回線を通じて送信される。
【００２２】
図３は、かなり使用された後の画像読取装置の原稿台ガラス１０７上にＡ４サイズの基準シート（白色紙）を載せて画像を読み取り、所定の画像処理を施した画像の一例である。図３中の破線で囲んだ部分は、原稿給紙動作により、導電性コートがはがれ、画像データの輝度が高くなっている部分である。
【００２３】
この例のように、原稿が原稿給紙装置等により原稿台ガラス上を移動して給紙される画像読取装置の場合、原稿台ガラスの特定の位置に摩擦が大きい個所が発生し、その部分の導電性コートの摩耗が大きくなり、このような状態になることが多い。特に、主走査方向の中央部や、原稿搬送ベルト１１２の内側に設けられたローラの位置に対応する部分における導電性コートの摩耗による剥れが目立つ。
【００２４】
本実施例では、主走査中央部３０１の位置に注目し、その部分の導電性コートの剥れ具合を検知する動作を図４、図５を用いて説明する。図４のフローチャートで示される制御は、不図示の制御回路４００により実行される。
【００２５】
なお、Ｄｔ読取位置３０２は、本動作中に画像を読み取る副走査位置である。導電性コートの剥れ具合を検知する際には、予め原稿台ガラス１０７上に主走査方向に均一に所定の反射濃度を有する基準シートを載置しておく。
【００２６】
まず、照明ランプ１０１、第１ミラー１０２、第２ミラー１０３、及び第４ミラー１０４を白色板１０９の下に移動し、白色板１０９の画像を読み取る（Ｓ４０１）。読み取った画像の一例を図５（ａ）に示す。
【００２７】
そして、図５（ｂ）で示すように、ステップＳ４０１で読み取った読み取り値５０１を、後述の図７に示す信号処理回路により画素毎に所定の目標値５０２になるように補正する（Ｓ４０２）。かかる補正についての詳細は、図６、図７を用いて以下に説明する。
【００２８】
図６は、白色板１０９の構成を示しており、シェーディング補正に使用する読み取り領域２０１をイメージセンサ１０６で読み取ることができるような位置に配している。前述した通り、白色板１０９はカバーガラス１１０で覆われているが、このカバーガラス１１０には導電性コートが施されていない。
【００２９】
図７に、イメージセンサ１０６の出力信号に対する信号処理回路を示す。図７において、７０１〜７０３は、ＲＧＢそれぞれの出力信号を所定のレベルになるよう増幅するアンプ回路である。７０４〜７０６は、各アンプ出力をデジタル信号に変換するためのＡＤ変換回路である。７０７〜７０９は、ＡＤ変換回路７０４〜７０６の出力信号からオフセット成分を除去する黒オフセット補正回路である。
【００３０】
７１０〜７１２は、シェーディング補正用のラインメモリであり、白色板１０９の読み取り信号を記憶する。７１３〜７１５は、シェーディング補正演算回路であり、７１０〜７１２のシェーディングメモリの内容を参照し、下式で示されるシェーディング補正演算が行われる。
【００３１】
ＶＯＵＴｉ＝ＶＩＮｉ×（ＳＨＴＡＲ／Ｗｉ）
ＶＯＵＴｉ  ：シェーディング補正出力
ＶＩＮｉ    ：シェーディング補正入力
ＳＨＴＡＲ  ：シェーディング補正目標値
Ｗｉ        ：白色板読み取り信号
ｉ          ：画素Ｎｏ．
このシェーディング補正演算によって、前述のステップＳ４０１で読み取った読み取り値５０１を、前述のステップＳ４０２で図７の信号処理回路により画素毎に所定の目標値５０２になるように補正する。
【００３２】
次に、照明ランプ１０１を基準シート下のＤｔ読取位置３０２に移動し（Ｓ４０３）、原稿台ガラス１０７上に載置されている基準シートを読み取る（Ｓ４０４）。
【００３３】
ここで、基準シートを読み取った画像を図５（ｃ）に示す。原稿台ガラス１０７には全面に導電性コートが施されていることから、導電性コートが施されていない場合に比べて、同じ反射濃度を有するものを読み取っても読み取り値５０３は小さくなる。これは、導電性コートが施されている分、光が遮られ光量が低下するためである。例えば、完全に導電性コートが剥れてしまった場合、読み取り値５０３は目標値５０２と等しくなる。
【００３４】
次に、読み取り値５０３の主走査方向の読み取り領域５０５における平均値Ｄｔ５０４（目標値５０２と読み取り値５０３との差の平均値）を算出する（Ｓ４０５）。このとき、導電性コートが剥れていない場合には平均値Ｄｔ５０４は大きくなり、導電性コートが剥れている場合には平均値Ｄｔ５０４は小さくなる。
【００３５】
平均値Ｄｔ５０４は、磨耗具合の判別の基準となる基準値Ｄｒ５０６と比較され、比較結果に応じて以下の処理を行う（Ｓ４０６）。
【００３６】
Ｄｒ≦Ｄｔの場合、導電性コートの摩耗具合が軽度と判断し、Ｄｔを消去し終了する。
【００３７】
Ｄｒ＞Ｄｔの場合、導電性コートの摩耗具合が進行したと判断し、図示しない操作部上に設けられた表示部８００に原稿台ガラス１０７の磨耗具合が進行している旨のメッセージを表示する（Ｓ４０７）。そして、原稿給紙装置からの給紙動作を制限する（Ｓ４０８）。例えば、図８に示すような表示を、表示部８００に表示する。
【００３８】
なお、ステップＳ４０７において、原稿台ガラス１０７の磨耗具合が進行している旨のメッセージを表示したが、図９に示すような、原稿台ガラス１０７の交換を促すメッセージを表示してもよい。これによって、ユーザが原稿台ガラス１０７の交換時期を把握することができる。
【００３９】
また、ステップＳ４０７において、図１０に示すような、原稿台ガラス１０７の発注を行うかどうかをユーザに選択させる画面を表示してもよい。発注を行う旨のユーザの選択によって、画像読取装置とネットワークを介して接続されているサービス拠点のサーバに原稿台ガラス１０７の発注が行われる。発注が行われることによって、サービス拠点にいるサービスマンが原稿台ガラス１０７をユーザに届けることができる。
【００４０】
また、ステップＳ４０８において、原稿給紙装置からの給紙動作ができないように制限したが、図１１に示すような、ユーザが給紙動作を制限させるかどうかを選択できる画面を表示してもよい。これによって、ユーザビリティが向上する。
【実施例２】
【００４１】
次に、実施例２について図面を用いて以下に詳細に説明する。
【００４２】
実施例１では、ユーザにより原稿台ガラス上にセットされた原稿を読み取る場合と、原稿給紙装置により給紙された原稿を読み取る場合とで、同一の原稿台ガラス上で読み取る場合の構成で説明した。
【００４３】
一方、実施例２では、ユーザによりセットされた原稿を読み取るときの原稿載置部ガラスと、原稿給紙装置により給紙された原稿を読み取るときの原稿搬送部ガラスとを、それぞれ別々に設けた場合の構成である。かかる構成の画像読取装置に関しても、実施例１と同様の効果が得られる。
【００４４】
図１２は、実施例２における原稿給紙装置を搭載した画像読取装置の構成を示す図である。
【００４５】
ユーザにより原稿載置部ガラス１２０２上にセットされた第１の原稿１２０１を読み取る際には、まず光源１２０３により第１の原稿１２０１に光照射される。照射された光は、スリット１２０４を通過し、第１ミラー１２０５、第２ミラー１２０６、第３ミラー１２０７で反射され、レンズ１２０８を通過してＣＣＤ等のイメージセンサ１２０９に結像される。
【００４６】
一方、原稿搬送ローラ１２１２により搬送される第２の原稿１２１０を読み取る際には、まず光源１２０３、スリット１２０４、第１ミラー１２０５、第２ミラー１２０６、及び第３ミラー１２０７を原稿搬送部ガラス１２１１の下に移動させる。その後、光源１２０３により第２の原稿１２１０に光を照射し、照射された光は上述したようにイメージセンサ１２０９に結像される。
【００４７】
原稿搬送部ガラス１２１１には導電性コートが施されているが、原稿載置部ガラス１２０２には施されていない。原稿搬送部ガラス１２１１は、原稿搬送ローラ１２１２により搬送される第２の原稿１２１０との摩擦によってガラスが帯電してしまうことから、帯電防止のための導電性コートが必要である。しかし、原稿載置部ガラス１２０２は、第１の原稿１２１０との摩擦はほとんど生じないので、導電性コートは必要ない。
【００４８】
したがって、導電性コートの剥れ具合を検出する処理は、原稿搬送部ガラス１２１１については行うが、導電性コートが施されていない原稿載置部ガラス１２０２については行わない。導電性コートの剥れ具合を検出する動作の詳細は、実施例１と同じであるから省略する。
【００４９】
以上で説明したように、本実施形態によれば、原稿台ガラスの導電性コートの摩耗具合が詳細に検出可能なので、原稿台ガラスの寿命又は交換時期を容易に判別することができる。原稿台ガラスの交換タイミングが適切に行われることで、静電気吸着による原稿が正常に給紙されなくなってしまう等の問題を低減できる。
【図面の簡単な説明】
【００５０】
【図１】画像読取装置の構成
【図２】ベルト搬送方式の原稿給紙装置を搭載した画像読取装置の構成
【図３】原稿台ガラスに施された導電性コートが摩耗により部分的に剥れた状態を示す図
【図４】原稿台ガラスに施された導電性コートの剥れ具合を検出する動作を説明するフローチャート
【図５】原稿台ガラスに施された導電性コートの剥れ具合を検出する動作を説明する図
【図６】画像読取装置におけるシェーディング補正用の白色板
【図７】信号処理装置のブロック図
【図８】原稿台ガラスの磨耗が進んでいる場合の警告表示の一例
【図９】原稿台ガラスの磨耗が進んでいる場合の警告表示の一例
【図１０】原稿台ガラスの磨耗が進んでいる場合の警告表示の一例
【図１１】原稿台ガラスの磨耗が進んでいる場合の警告表示の一例
【図１２】原稿給紙装置を搭載した画像読取装置の別構成
【符号の説明】
【００５１】
１０１  光源
１０２  第１ミラー
１０３  第２ミラー
１０４  第３ミラー
１０５  レンズ
１０６  イメージセンサ
１０７  原稿台ガラス
１０８  原稿
１０９  白色板
１１０  カバーガラス
１１１  ベルト駆動ローラ
１１２  原稿搬送ベルト
４００  制御回路
８００  表示部
１２０１  第１の原稿
１２０２  原稿載置部ガラス
１２０３  光源
１２０４  スリット
１２０５  第１ミラー
１２０６  第２ミラー
１２０７  第３ミラー
１２０８  レンズ
１２０９  イメージセンサ
１２１０  第２の原稿
１２１１  原稿搬送部ガラス
１２１２  原稿搬送ローラ
【図１】
0004669397.tif 000002
【図２】
0004669397.tif 000003
【図３】
0004669397.tif 000004
【図４】
0004669397.tif 000005
【図５】
0004669397.tif 000006
【図６】
0004669397.tif 000007
【図７】
0004669397.tif 000008
【図８】
0004669397.tif 000009
【図９】
0004669397.tif 000010
【図１０】
0004669397.tif 000011
【図１１】
0004669397.tif 000012
【図１２】
0004669397.tif 000013